(57)【特許請求の範囲】
【請求項１】
予め定められた位置に設置されている情報端末と接続した際に、前記情報端末の識別子を取得する情報取得部と、
ルータ装置と前記ルータ装置に接続されるべき情報端末との組み合わせを管理するサーバ装置へ、自装置の識別子と、前記情報取得部において取得された前記情報端末の識別子とを送信する通信部と、
自装置及び前記情報端末の識別子を用いて自装置が正しい位置に設置されていないと判定したサーバ装置から送信された、自装置において設定すべき設定情報を設定する情報設定部と、を備えるルータ装置。
【請求項２】
前記情報取得部は、ＡＲＰ（Address Resolution Protocol）を用いて、前記情報端末の識別子として前記情報端末のＭＡＣアドレスを取得する、請求項１に記載のルータ装置。
【請求項３】
自装置に接続している前記情報端末のＭＡＣアドレスを管理するＭＡＣアドレス管理部と、
前記情報取得部において取得された情報端末のＭＡＣアドレスが前記ＭＡＣアドレス管理部において管理されていない場合、前記自装置の識別子と、前記ＭＡＣアドレス管理部において管理されていないＭＡＣアドレスを含む所在情報を前記通信部へ出力する管理部と、をさらに備える請求項２に記載のルータ装置。
【請求項４】
前記通信部が電源投入後に自装置の識別子を前記サーバ装置へ送信することによって、前記情報取得部は、前記サーバ装置から前記自装置の識別子に関連づけられた第１の設定情報を取得し、
前記通信部が前記所在情報を前記サーバ装置へ送信した後に、前記情報取得部が前記第１の設定情報とは異なる第２の設定情報を取得した場合、前記情報設定部は、前記第２の設定情報を自装置に設定する、請求項３に記載のルータ装置。
【請求項５】
予め定められた位置に設置されている情報端末と、前記情報端末が設置されている位置に設置される予定であるルータ装置との組み合わせを管理する組み合わせ管理部と、
前記ルータ装置の設定情報を管理する設定情報管理部と、
前記ルータ装置から送信された前記ルータ装置の識別子と、前記ルータ装置と接続している情報端末の識別子とを用いて、前記ルータ装置が、設置される予定である位置に正常に設置されているか否かを判定する判定部と、
前記ルータ装置が設置される予定である位置と異なる位置に設置された場合、前記組み合わせ管理部及び前記設定情報管理部において管理されている情報を修正する監視部と、
前記監視部が修正することによって前記ルータ装置に新たに関連付けられた設定情報を前記ルータ装置へ送信する通信部と、を備えるサーバ装置。
【請求項６】
前記判定部は、
前記ルータ装置から送信された前記ルータ装置の識別子と、前記ルータ装置と接続している情報端末の識別子とが、前記組み合わせ管理部において管理されている組み合わせと異なる場合に、前記ルータ装置が誤った位置に設置されたと判定する、請求項５に記載のサーバ装置。
【請求項７】
第１の情報端末が設置されている位置に設置される予定である第１のルータ装置が、第２の情報端末が設置されている位置に設置された場合、
前記監視部は、
前記第１のルータ装置と前記第２の情報端末とを組み合わせ、前記第２の情報端末が設置されている位置に設置される予定であった第２のルータ装置と前記第１の情報端末とを組み合わせるように前記組み合わせ管理部を修正し、
前記第１のルータ装置と関連づけられている第１の設定情報を前記第２のルータ装置と関連づけ、前記第２のルータ装置と関連づけられている第２の設定情報を前記第１のルータ装置と関連づけるように前記設定情報管理部を修正する、請求項５又は６に記載のサーバ装置。
【請求項８】
前記組み合わせ管理部は、
前記ルータ装置の識別子と、前記情報端末のＭＡＣアドレスとを組み合わせて管理する、請求項５乃至７のいずれか１項に記載のサーバ装置。
【請求項９】
予め定められた位置に設置されている情報端末と接続した際に、前記情報端末の識別子を取得し、
ルータ装置と前記ルータ装置に接続されるべき情報端末との組み合わせを管理するサーバ装置へ、自装置の識別子と、取得された前記情報端末の識別子とを送信し、
自装置及び前記情報端末の識別子を用いて自装置が正しい位置に設置されていないと判定したサーバ装置から送信された、自装置において設定すべき設定情報を設定する、ルータ装置における設定方法。
【請求項１０】
予め定められた位置に設置されている情報端末と接続した際に、前記情報端末の識別子を取得し、
ルータ装置と前記ルータ装置に接続されるべき情報端末との組み合わせを管理するサーバ装置へ、自装置の識別子と、取得された前記情報端末の識別子とを送信し、
自装置及び前記情報端末の識別子を用いて自装置が正しい位置に設置されていないと判定したサーバ装置から送信された、自装置において設定すべき設定情報を設定することをコンピュータに実行させるプログラム。
【発明の詳細な説明】
【技術分野】
【０００１】
本発明はルータ装置、サーバ装置、設定方法及びプログラムに関し、例えば設定情報を送信するサーバ装置、サーバ装置から送信された設定情報を用いるルータ装置、ルータ装置における設定情報の設定方法及びプログラムに関する。
【背景技術】
【０００２】
コンビニエンスストアなどに存在する情報端末と、それらにサービスを提供する業務サーバを接続するための通信手段として、ルータ装置を使用することがある。その際に、ルータ装置の設定及び管理を行う者が、情報端末及び業務サーバの管理を行う者とは別人であることが想定される。ルータ装置を設置する際に、各店舗にルータ装置の設置に関する技術者を派遣するのではなく、コストダウンのためにルータ装置のみを宅配便などで店舗へ配送して、その設置を店舗の職員に委ねるからである。しかし、店舗の職員に正確な設定の投入を任せるのは、技術的に困難である場合がある。さらに、店舗の職員にルータ装置の設定情報等を通知することは、ネットワーク情報が第三者に漏れる情報漏えいの可能性がある。
【０００３】
引用文献１には、通常使用している情報端末を、災害等の緊急時に通常とは異なる場所にある緊急時利用ルータに接続して使用する通信システムの構成が開示されている。引用文献１に開示されている通信システムにおいては、緊急時支援サーバ装置が、緊急時利用ルータに接続した情報端末に対して、緊急時利用ルータに関する情報を情報端末へ送信することによって、容易に情報端末を通常とは異なる場所にある緊急時利用ルータを使用する状態にすることができる。
【０００４】
また、一般的な通信サービスとして、店舗に配送されるルータ装置の装置ＩＤと、店舗に適切なルータ装置の設定を管理サーバ側で所持しており、ルータ装置を設置した時に、ルータ装置が送ってきた装置ＩＤを元に自動設定を行うサービスも提供されている。
【先行技術文献】
【特許文献】
【０００５】
【特許文献１】特開２０１３−４８３８８号公報
【発明の概要】
【発明が解決しようとする課題】
【０００６】
ここで、コンビニエンスストア等の店舗の職員が、情報端末と業務サーバとを接続するために容易にルータ装置を設置することができるシステムが求められている。例えば、店舗に配送されるルータ装置の装置ＩＤと、店舗に適切なルータ装置の設定とを管理サーバ側で所持し、ルータ装置を設置した時に、管理サーバが、ルータ装置が送信してきた装置ＩＤに基づいて設定情報をルータ装置へ送信してもよい。
【０００７】
しかし、ルータ装置が誤って異なる店舗に配送されてしまった場合においても、管理サーバは、ルータ装置の装置ＩＤを元に装置ＩＤと関連づけられている設定情報を自動設定する。自動設定された設定情報は、本来配送されるべき店舗において有効な情報ではないため、ルータ装置が正常に動作しないという問題がある。
【０００８】
本発明の目的は、上記の課題を解決するためにルータ装置が誤って異なる店舗に配送された場合においても、正常に動作するための情報を自動設定することができるルータ装置、サーバ装置、設定方法及びプログラムを提供することにある。
【課題を解決するための手段】
【０００９】
本発明の第１の態様にかかるルータ装置は、予め定められた位置に設置されている情報端末と接続した際に、前記情報端末の識別子を取得する情報取得部と、ルータ装置と前記ルータ装置に接続されるべき情報端末との組み合わせを管理するサーバ装置へ、自装置の識別子と、前記情報取得部において取得された前記情報端末の識別子とを送信する通信部と、自装置及び前記情報端末の識別子を用いて自装置が正しい位置に設置されていないと判定したサーバ装置から送信された、自装置において設定すべき設定情報を設定する情報設定部と、を備えるものである。
【００１０】
本発明の第２の態様にかかるサーバ装置は、予め定められた位置に設置されている情報端末と、前記情報端末が設置されている位置に設置される予定であるルータ装置との組み合わせを管理する組み合わせ管理部と、前記ルータ装置の設定情報を管理する設定情報管理部と、前記ルータ装置から送信された前記ルータ装置の識別子と、前記ルータ装置と接続している情報端末の識別子とを用いて、前記ルータ装置が、設置される予定である位置に正常に設置されているか否かを判定する判定部と、前記ルータ装置が設置される予定である位置と異なる位置に設置された場合、前記組み合わせ管理部及び前記設定情報管理部において管理されている情報を修正する監視部と、前記監視部が修正することによって前記ルータ装置に新たに関連付けられた設定情報を前記ルータ装置へ送信する通信部と、を備えるものである。
【００１１】
本発明の第３の態様にかかる設定方法は、予め定められた位置に設置されている情報端末と接続した際に、前記情報端末の識別子を取得し、ルータ装置と前記ルータ装置に接続されるべき情報端末との組み合わせを管理するサーバ装置へ、自装置の識別子と、取得された前記情報端末の識別子とを送信し、自装置及び前記情報端末の識別子を用いて自装置が正しい位置に設置されていないと判定したサーバ装置から送信された、自装置において設定すべき設定情報を設定するものである。
【００１２】
本発明の第５の態様にかかるプログラムは、予め定められた位置に設置されている情報端末と接続した際に、前記情報端末の識別子を取得し、ルータ装置と前記ルータ装置に接続されるべき情報端末との組み合わせを管理するサーバ装置へ、自装置の識別子と、取得された前記情報端末の識別子とを送信し、自装置及び前記情報端末の識別子を用いて自装置が正しい位置に設置されていないと判定したサーバ装置から送信された、自装置において設定すべき設定情報を設定することをコンピュータに実行させるものである。
【発明の効果】
【００１３】
本発明により、ルータ装置が誤って異なる店舗に配送された場合においても、正常に動作するための情報を自動設定することができるルータ装置、サーバ装置、設定方法及びプログラムを提供することができる。
【図面の簡単な説明】
【００１４】
【図１】実施の形態１にかかる通信システムの構成図である。
【図２】実施の形態２にかかる通信システムの構成図である。
【図３】実施の形態２にかかる無線ルータの構成図である。
【図４】実施の形態２にかかる管理サーバの構成図である。
【図５】実施の形態２にかかる情報データベースにおいて管理される情報を示す図である。
【図６】実施の形態２にかかる店舗データベースにおいて管理される情報を示す図である。
【図７】実施の形態２にかかる設定データベースにおいて管理される情報を示す図である。
【図８】実施の形態２にかかる修正後の店舗データベースにおいて管理される情報を示す図である。
【図９】実施の形態２にかかる修正後の設定データベースにおいて管理される情報を示す図である。
【図１０】実施の形態２にかかる無線ルータが正しい店舗に配送された場合の無線ルータの設定処理の流れを示す図である。
【図１１】実施の形態２にかかる無線ルータが正しい店舗に配送されなかった場合の無線ルータの設定処理の流れを示す図である。
【図１２】実施の形態３にかかる無線ルータの構成図である。
【発明を実施するための形態】
【００１５】
（実施の形態１）
以下、図面を参照して本発明の実施の形態について説明する。図１を用いて本発明の実施の形態１にかかる通信システムの構成例について説明する。図１の通信システムは、ルータ１０、情報端末２０及び管理サーバ３０を有している。ルータ１０は、情報取得部１１、通信部１２及び情報設定部１３を有している。
【００１６】
情報端末２０は、例えば、パーソナルコンピュータもしくはＰＯＳ（Point Of Sales）システム端末等のコンピュータ装置であってもよい。管理サーバ３０は、ルータ１０を介して情報端末２０と通信するサーバ装置である。管理サーバ３０は、複数のサーバ装置から構成されるサーバ装置群であってもよい。
【００１７】
管理サーバ３０は、ルータと、ルータに接続されるべき情報端末との組み合わせを管理する。例えば、管理サーバ３０は、ルータ１０と、ルータ１０に接続されるべき情報端末として情報端末２０とを組み合わせて管理してもよく、ルータ１０と、情報端末２０とは異なる他の情報端末とを組み合わせて管理してもよい。
【００１８】
次に、ルータ１０の構成について説明する。情報取得部１１は、予め定められた位置に設置されている情報端末２０と接続した際に、情報端末２０の識別子を取得する。予め定められた位置とは、例えば、店舗もしくは自宅等であってもよい。情報端末２０の識別子は、例えば、情報端末２０のＭＡＣアドレス、ＩＰアドレスもしくはその他の情報端末２０を特定する識別子であってもよい。
【００１９】
通信部１２は、管理サーバ３０へ、自装置の識別子と、情報取得部１１において取得された情報端末２０の識別子とを送信する。
【００２０】
情報設定部１３は、自装置において設定すべき設定情報を設定する。設定情報は、自装置及び情報端末２０の識別子を用いて自装置が正しい位置に設置されていないと判定したサーバ装置３０から送信される。設定情報は、例えば、ルータ１０において設定すべきＩＰアドレス、ルータ１０が接続するデフォルトゲートウェイのＩＰアドレスもしくはルータ１０が属するドメインのドメイン名等であってもよい。
【００２１】
以上説明したように、図１の通信システムを用いることによって、管理サーバ３０は、ルータ１０が正しい位置に設置されたか否かを判定することができる。具体的には、管理サーバ３０は、ルータ１０から送信されたルータ１０の識別子と、ルータ１０が接続している情報端末２０の識別子とを用いることによって、ルータ１０が、正しい位置に設置されたか否かを判定することができる。
【００２２】
管理サーバ３０は、ルータ１０が設置された位置に応じて定まる設定情報をルータ１０へ送信すると、ルータ１０は、受信した設定情報を設定する。これによって、ルータ１０が、誤って予め定められた位置とは異なる位置に設置された場合においても、ルータ１０は、管理サーバ３０から、ルータ１０が設置された位置に応じて定まる設定情報を取得することができる。
【００２３】
（実施の形態２）
続いて、図２を用いて本発明の実施の形態２にかかる通信システムの構成例について説明する。図２の通信システムは、店舗１００、無線ルータ１０１、情報端末１０２、管理サーバ１０３、業務サーバ１０４、公衆回線網１０５及びイントラネット１０６を有している。無線ルータ１０１は、図１のルータ１０に相当する。情報端末１０２は、図１の情報端末２０に相当する。管理サーバ１０３は、図１の管理サーバ３０に相当する。
【００２４】
公衆回線網１０５は、例えば、インターネットと称されてもよい。もしくは、公衆回線網１０５は、通信事業者もしくはサービスプロバイダー等によって管理されるネットワークであってもよい。イントラネット１０６は、例えば、特定の企業内に閉じたネットワークであってもよい。
【００２５】
店舗１００は、全国に多数存在する。店舗１００には、無線ルータ１０１と情報端末１０２とが設置されている。無線ルータ１０１は、情報端末１０２と接続し、さらに公衆回線網１０５とも接続する。無線ルータ１０１は、情報端末１０２及び公衆回線網１０５と、無線回線を介して接続してもよい。もしくは、無線ルータ１０１は、情報端末１０２と無線回線を介して接続し、公衆回線網１０５と有線回線を介して接続してもよい。もしくは、無線ルータ１０１は、情報端末１０２と有線回線を介して接続し、公衆回線網１０５と無線回線を介して接続してもよい。無線ルータ１０１は、公衆回線網１０５を介して管理サーバ１０３と通信する。さらに、無線ルータ１０１は、公衆回線網１０５及びイントラネット１０６を介して業務サーバ１０４と通信する。無線ルータ１０１は、情報端末１０２と管理サーバ１０３との間の通信、さらに、情報端末１０２と業務サーバ１０４との間の通信を中継する。
【００２６】
情報端末１０２は、店舗１００内に設置され、業務サーバ１０４と通信を行うために、無線ルータ１０１と接続する。管理サーバ１０３は、公衆回線網１０５及びイントラネット１０６と接続する。管理サーバ１０３は、公衆回線網１０５を介して無線ルータ１０１と通信を行う。
【００２７】
業務サーバ１０４は、イントラネット１０６と接続し、イントラネット１０６及び公衆回線網１０５を介して、無線ルータ１０１と接続している情報端末１０２と通信を行う。また、業務サーバ１０４は、イントラネット１０６を介して管理サーバ１０３と通信し、管理サーバ１０３において管理されている情報を更新等してもよい。公衆回線網１０５は、無線ルータ１０１、管理サーバ１０３及びイントラネット１０６と接続している。イントラネット１０６は、公衆回線網１０５、管理サーバ１０３及び業務サーバ１０４と接続している。
【００２８】
本図においては、店舗１００と情報端末１０２の組み合わせは正しいものとする。つまり、情報端末１０２は、店舗１００に設置されることが予め定められており、予定通り店舗１００に設置されているとする。管理サーバ１０３は、無線ルータ１０１と情報端末１０２の組み合わせが正しいか否かを判断することによって、無線ルータ１０１が店舗１００に設置されることが正しいか否かを判定する。
【００２９】
続いて、図３を用いて無線ルータ１０１の構成例について説明する。無線ルータ１０１は、ＬＡＮポート２０１、無線ＷＡＮポート２０２、ルータ部２０３、ルータ設定記憶部２０４、ＡＲＰテーブル２０５、無線ＷＡＮ制御部２０６、自動設定制御部２０７、装置ＩＤ記憶部２０８、ＬＡＮ監視部２０９及びＭＡＣデータベース２１０を有している。
【００３０】
ＬＡＮポート２０１は、情報端末１０２と接続する。ＬＡＮポート２０１は、無線回線を介して情報端末１０２と接続してもよく、有線回線を介して情報端末１０２と接続してもよい。
【００３１】
無線ＷＡＮポート２０２は、公衆回線網１０５に接続する。無線ＷＡＮポート２０２は、無線回線を介して公衆回線網１０５と接続する。もしくは、無線ＷＡＮポート２０２は、有線回線を介して公衆回線網１０５と接続してもよい。
【００３２】
ルータ部２０３は、ルータ設定記憶部２０４の情報とＡＲＰテーブル２０５の情報とに従って、ＬＡＮポート２０１と無線ＷＡＮポート２０３との間の通信を中継する。また、ルータ部２０３は、自動設定制御部２０７が無線ＷＡＮポート２０２を経由して通信する際に用いられる。また、ルータ部２０３は、ＬＡＮポート２０１に接続している情報端末に対して、ＩＰアドレスを指定したＡＲＰ要求を送出して、ＬＡＮポート２０１配下の情報端末のＭＡＣアドレスを検索する。
【００３３】
ＡＲＰテーブル２０５は、ＬＡＮポート２０１配下の情報端末のＩＰアドレスとＭＡＣアドレスとを組み合わせて管理している。ルータ部２０３は、ＡＲＰ要求を送出し、ＡＲＰ要求に対する応答メッセージを受信すると、探索した情報端末のＩＰアドレスとＭＡＣアドレスとをＡＲＰテーブル２０５へ登録する。ＡＲＰ要求に対する応答メッセージには、応答メッセージを送信した情報端末のＭＡＣアドレスが設定されている。
【００３４】
ＬＡＮ監視部２０９は、ＡＲＰテーブル２０５を参照し、ＭＡＣデータベース２１０に記載されていないＭＡＣアドレスを検出すると、そのＭＡＣアドレスをＭＡＣデータベース２１０に追記する。さらに、ＬＡＮ監視部２０９は、ＭＡＣデータベース２１０に追記したＭＡＣアドレスもしくはＭＡＣデータベース２１０において管理されているＭＡＣアドレスを自動設定制御部２０７に通知する。
【００３５】
ＭＡＣデータベース２１０は、ＬＡＮ監視部２０９によって参照され、さらにＬＡＮ監視部２０９によってＭＡＣアドレスを追記される。ＭＡＣデータベース２１０は、ＡＲＰテーブル２０５に登録されたことのあるＭＡＣアドレスを記憶している。ＭＡＣデータベース２１０は、電源を切断される場合と自動設定制御部２０７によって指示された場合に、内容を消去されてもよい。
【００３６】
ルータ設定記憶部２０４は、ルータ部２０３が動作するための設定情報と、無線ＷＡＮ制御部２０６を制御するための情報とを保持する。ルータ設定記憶部２０４が保持する無線ＷＡＮ制御部２０６を制御するための情報は、例えば、無線ＷＡＮポート２０２を、公衆回線網１０５経由でイントラネット１０６へ接続させるために用いられる情報もしくは公衆回線網１０５経由で管理サーバ１０３へ接続させるために用いられる情報である。ルータ部２０３が動作するための設定情報と、無線ＷＡＮ制御部２０６を制御するための情報とは、自動設定制御部２０７から出力される。
【００３７】
自動設定制御部２０７は、無線ＷＡＮ制御部２０６を制御して無線ＷＡＮポート２０２を公衆回線網１０５に接続させる。さらに、自動設定制御部２０７は、ルータ部２０３と無線ＷＡＮポート２０２とを経由して管理サーバ１０３と通信を行う。自動設定制御部２０７は、設定要求メッセージを管理サーバ１０３へ送信する。自動設定制御部２０７は、設定要求メッセージに、装置ＩＤ記憶部２０８に記憶されている無線ルータ１０１の装置ＩＤを設定する。自動設定制御部２０７は、管理サーバ１０３から、設定要求メッセージの応答メッセージを受信する。応答メッセージには、無線ルータ１０１において設定すべき設定情報が含まれている。自動設定制御部２０７は、設定情報をルータ設定記憶部２０４へ書き込む。さらに、自動設定制御部２０７は、ルータ部２０３が設定情報に従って動作する場合には、無線ＷＡＮ制御部２０６を制御するための情報として、無線ＷＡＮポート２０２を、公衆回線網１０５を経由してイントラネット１０６へ接続させることを示す情報をルータ設定記憶部２０４へ書き込んでもよい。
【００３８】
自動設定制御部２０７は、管理サーバ１０３から再設定要求メッセージを受けた場合、ルータ設定記憶部２０４とＭＡＣデータベース２１０の内容を消去する。
【００３９】
また、自動設定制御部２０７は、ＬＡＮ監視部２０９から、ＭＡＣデータベース２１０に追記されたＭＡＣアドレス情報を取得し、装置ＩＤ記憶部２０８から無線ルータ１０１の装置ＩＤを取得する。自動設定制御部２０７は、ＭＡＣアドレス情報と無線ルータ１０１の装置ＩＤとを組み合わせて所在情報を生成する。自動設定制御部２０７は、所在情報をルータ部２０３を経由して管理サーバ１０３へ送信する。自動設定制御部２０７は、所在情報を管理サーバ１０３へ送信する場合、無線ＷＡＮ制御部２０６へ、無線ＷＡＮポート２０２を公衆回線網１０５経由で管理サーバ１０３へ接続させるように制御する。
【００４０】
無線ＷＡＮ制御部２０６は、ルータ設定記憶部２０４の設定もしくは自動設定制御部２０７の要求に従って、無線ＷＡＮポート２０２を制御し、無線ＷＡＮポート２０２を公衆回線網１０５に接続させる。無線ＷＡＮ制御部２０６は、ルータ設定記憶部２０４の設定に従った場合には無線ＷＡＮポート２０２を公衆回線網１０５経由でイントラネット１０６へ接続させる。無線ＷＡＮ制御部２０６は、自動設定制御部２０７の要求に従った場合には無線ＷＡＮポート２０２を公衆回線網１０５経由で管理サーバ１０３へ接続させる。
【００４１】
続いて、図４を用いて管理サーバ１０３の構成例について説明する。管理サーバ１０３は、無線ＷＡＮポート３０１、通信部３０２、設定データベース３０３、監視部３０４、情報データベース３０５、店舗データベース３０６、ＬＡＮポート３０７及び管理者用ディスプレイ３０８を有している。
【００４２】
ＬＡＮポート３０７は、イントラネット１０６に接続している。無線ＷＡＮポート３０１は、公衆回線１０５に接続している。ＬＡＮポート３０７及び無線ＷＡＮポート３０１は、それぞれ、無線回線もしくは有線回線を介してイントラネット１０６もしくは公衆回線網１０５に接続している。
【００４３】
通信部３０２は、無線ＷＡＮポート３０１を経由して無線ルータ１０１と通信を行う。さらに、通信部３０２は、ＬＡＮポート３０７を経由して業務サーバ１０４と通信を行う。通信部３０２は、無線ルータ１０１の自動設定制御部２０７から設定要求メッセージを受信した場合には、設定データベース３０３から無線ルータ１０１における設定情報を取得して、情報端末１０２の自動設定制御部２０７へ設定情報を送信する。
【００４４】
また、通信部３０２は、無線ルータ１０１の自動設定制御部２０７から所在情報を受けた場合には、情報データベース３０５を更新する。また、通信部３０２は、監視部３０４から、無線ルータ１０１が正しい店舗に配送されていないことを示す情報を通知された場合には、無線ルータ１０１へ再設定要求を送信する。
【００４５】
設定データベース３０３は、無線ルータ１０１の装置ＩＤと、無線ルータ１０１に対応する設定情報とを関連付けて保持している。設定データベース３０３は、監視部３０４によって更新される。
【００４６】
情報データベース３０５は、無線ルータ１０１から送信された所在情報に含まれる装置ＩＤと情報端末のＭＡＣアドレスを通信部３０２から取得して記憶する。情報データベース３０５は、通信部３０２によって更新される。
【００４７】
店舗データベース３０６は、無線ルータ１０１の装置ＩＤと、無線ルータ１０１に接続される適切な情報端末１０２のＭＡＣアドレスとを関連付けた対応表をあらかじめ保持している。店舗データベース３０６は、監視部３０４によって修正される。管理者用ディスプレイ３０８は、監視部３０４から出力された情報を管理者用に表示する。
【００４８】
通信部３０２が情報データベース３０５を更新すると、監視部３０４は、通信部３０２から、情報データベース３０５を更新した旨の通知を受け取る。監視部３０４は、情報データベース３０５に登録されている無線ルータ１０１の装置ＩＤ及びＭＡＣアドレス情報の組み合わせと、店舗データベース３０６に登録されている無線ルータ１０１の装置ＩＤ及びＭＡＣアドレス情報の組み合わせとを比較する。監視部３０４は、情報データベース３０５に登録されている情報と、店舗データベース３０６に登録されている情報とを比較することによって、情報データベース３０５に登録されている無線ルータ１０１の装置ＩＤ及びＭＡＣアドレス情報の組み合わせが正しいか否かを判定する。監視部３０４は、情報データベース３０５に登録されている情報と、店舗データベース３０６に登録されている情報とが一致する場合、無線ルータ１０１は、正しい店舗に設置されたと判定する。
【００４９】
監視部３０４は、無線ルータ１０１の装置ＩＤ及びＭＡＣアドレス情報の組み合わせが正しくない場合には設定データベース３０３の装置ＩＤと設定情報との組み合わせを修正する。さらに、監視部３０４は、店舗データベース３０６の装置ＩＤと適切なＭＡＣアドレス情報の組み合わせとを更新し、管理者用ディスプレイ３０８に修正を行ったことを表示する。監視部３０４は、無線ルータ１０１の装置ＩＤとＭＡＣアドレス情報との組み合わせが正しい場合には、それぞれのデータベースの更新処理等を行わない。
【００５０】
続いて、図５〜図９を用いて、監視部３０４における処理の内容について説明する。図５は、情報データベース３０５において管理される情報を示している。図６は、店舗データベース３０６において管理される情報を示している。図７は、設定データベース３０３において管理される情報を示している。図８は、修正後の店舗データベース３０６において管理される情報を示している。図９は、修正後の設定データベース３０３において管理される情報を示している。
【００５１】
監視部３０４は、図５の情報データベース３０５のレコード１−２について、正しい組み合わせか否かを確認しようとする場合、レコード１−２のＭＡＣアドレスの項であるＭＡＣ３と同じ値を、図６の店舗データベース３０６のＭＡＣアドレスの項から抽出する。店舗データベース３０６では、レコード２−３にＭＡＣ３という値が登録されている。次に、監視部３０４は、情報データベース３０５のレコード１−２の装置ＩＤと、店舗データベース３０６のレコード２−３の装置ＩＤとを比較する。この例の場合には両方のレコードの装置ＩＤは、ＩＤ３であり、一致する。よって、この例の場合には、情報データベース３０５のレコード１−２における無線ルータ１０１と情報端末１０２との組み合わせは正しく、監視部３０４は、無線ルータ１０１が、正しい店舗に配送されていると判定する。
【００５２】
監視部３０４は、図５の情報データベース３０５のレコード１−１について、正しい組み合わせか否かを確認しようとする場合、レコード１−１のＭＡＣアドレスの項であるＭＡＣ２と同じ値を、図６の店舗データベース３０６のＭＡＣアドレスの項から抽出する。店舗データベース３０６では、レコード２−２にＭＡＣ２という値が登録されている。次に、監視部３０４は、情報データベース３０５のレコード１−１の装置ＩＤと店舗データベース３０６のレコード２−２の装置ＩＤとを比較する。この例の場合には、情報データベース３０５のレコード１−１では装置ＩＤは、ＩＤ１であり、店舗データベース３０６のレコード２−２では装置ＩＤは、ＩＤ２であり、一致しない。よって、この例の場合には、情報データベース３０５のレコード１−１における、無線ルータ１０１と情報端末１０２との組み合わせは間違っており、監視部３０４は、無線ルータ１０１が、間違った店舗に配送されていると判定する。
【００５３】
監視部３０４は、無線ルータ１０１が間違った店舗に配送されていると判定すると、図６の店舗データベース３０６と図７の設定データベース３０３とを修正する。以下に修正処理の一例を示す。
【００５４】
はじめに、監視部３０４は、情報データベース３０５のレコード１−１の装置ＩＤの項と同じ装置ＩＤを持つレコードを図６の店舗データベース３０６及び図７の設定データベース３０３から検出する。この例では、店舗データベース３０６のレコード２−１及び設定データベース３０３のレコード３−１が、情報データベース３０５のレコード１−１と同じ装置ＩＤを有している。
【００５５】
次に、監視部３０４は、情報データベース３０５のレコード１−１のＭＡＣアドレスと同じＭＡＣアドレスを有するレコードを図６の店舗データベース３０６から検出する。この例では、店舗データベース３０６のレコード２−２が、情報データベース３０５のレコード１−１と同じＭＡＣアドレスを有している。
【００５６】
次に、監視部３０４は、店舗データベース３０６のレコード２−２と同じ装置ＩＤを持つレコードを設定データベース３０３から検出する。この例では設定データベース３０３のレコード３−２が、店舗データベース３０６のレコード２−２と同じ装置ＩＤを持っている。そこで、監視部３０４は、設定データベース３０３のレコード３−２の装置ＩＤの値とレコード３−１の装置ＩＤの値を入れ替えて、図９における設定データベース３０３のレコード３−１’とレコード３−２’のようにする。さらに、監視部３０４は、図６の店舗データベース３０６のレコード２−１とレコード２−２の装置ＩＤの値を入れ替えて、図８における店舗データベース３０６のレコード２−１’とレコード２−２’のようにする。このようにして、監視部３０４は、店舗データベース３０６と設定データベース３０３との修正を行う。
【００５７】
また、監視部３０４は、図５の情報データベース３０５のレコード１−３について正しい組み合わせか否かを判定する場合、レコード１−３のＭＡＣアドレスの項であるＭＡＣ４と同じ値を、図８の店舗データベース３０６のＭＡＣアドレスの項から探し出す。この例の場合では、図８の店舗データベース３０６には、ＭＡＣ４という値を持つレコードは抽出されない。この場合には、監視部３０４は、無線ルータ１０１が正しい店舗に配送された否かについては判定できないので、このレコード１−３を無視する。
【００５８】
続いて、図１０を用いて、無線ルータ１０１が正しい店舗に配送された場合の無線ルータ１０１の設定処理の流れについて説明する。
【００５９】
はじめに、無線ルータ１０１の電源が投入されると、自動設定制御部２０７は、無線ＷＡＮ制御部２０６を制御して、無線ＷＡＮポート２０２を公衆回線網１０５経由で管理サーバ１０３の無線ＷＡＮポート３０１へ接続させる（Ｓ１０）。次に、無線ルータ１０１は、公衆回線網１０５を介して管理サーバ１０３へ、設定要求を含むメッセージを送信する（Ｓ４１１）。設定要求には、無線ルータ１０１の装置ＩＤが設定されている。次に、管理サーバ１０３の通信部３０２は、無線ＷＡＮポート３０１を介して設定要求を受け取ると、設定データベース３０３を参照して、設定要求に含まれる装置ＩＤに対応する設定情報を取得する。管理サーバ１０３の通信部３０２は、取得した設定情報を含むメッセージを無線ルータ１０１へ送信する（Ｓ４１２）。
【００６０】
次に、設定情報を受け取った無線ルータ１０１の自動設定制御部２０７は、受け取った設定情報をルータ設定記憶部２０４へ書き込み、無線ＷＡＮ制御部２０６は、ルータ設定記憶部２０４に書き込まれた情報を元に無線ＷＡＮポート２０２に公衆回線網１０５経由でイントラネット１０６へ再度接続させる（Ｓ１１）。
【００６１】
次に、無線ルータ１０１の自動設定制御部２０７は、ルータ部２０３に対して、ＬＡＮポート２０１を介してＡＲＰ要求を情報端末１０２へ送信させる（Ｓ４１３）。
【００６２】
次に、ＡＲＰ要求を受信した情報端末１０２は、ＡＲＰ応答を無線ルータ１０１へ送信する（Ｓ４１４）。無線ルータ１０１のルータ部２０３は、ＡＲＰ応答をＬＡＮポート２０１を介して受信すると、受け取ったＡＲＰ応答の情報をＡＲＰテーブル２０５へ書き込む。ＡＲＰテーブル２０５を監視するＬＡＮ監視部２０９は、ＭＡＣデータベース２１０を参照して、ＡＲＰテーブル２０５に記載されたＭＡＣアドレスが既に記載されているのかを調べる。ＬＡＮ監視部２０９は、ＭＡＣデータベース２１０に既に記載されている場合には何もしないが、記載されていなかった場合には、ＭＡＣデータベース２１０に新たに検出されたＭＡＣアドレス情報を記載し、自動設定制御部２０７に新しいＭＡＣアドレスが検出されたことを通知する（Ｓ１２）。
【００６３】
次に、新しいＭＡＣアドレス情報が検出されたことを通知された自動設定制御部２０７は、装置ＩＤから読みだした無線ルータ１０１の装置ＩＤと、検出されたＭＡＣアドレスとを含む所在情報を、ルータ部２０３と無線ＷＡＮポート２０２を介して管理サーバ１０３へ送信する（Ｓ４１５）。
【００６４】
次に、ＬＡＮポート３０７を介して所在情報を受け取った通信部３０２は、所在情報に含まれる装置ＩＤとＭＡＣアドレスとが、情報データベース３０５に既に記載されているかを確認し、記載されていなければ情報データベース３０５に書き込み、書き込んだことを監視部３０４へ知らせる。監視部３０４は、情報データベース３０５に新たな情報を書き込んだことを通信部３０２から通知されると、情報データベース３０５に新たに記録された装置ＩＤ及びＭＡＣアドレスの情報と、店舗データベース３０６に記載された装置ＩＤ及び適切な情報端末のＭＡＣアドレスの情報とを照合する。そしてＭＡＣアドレス及び装置ＩＤがともに一致する場合には、店舗１００と無線ルータ１０１との組み合わせは正しいと判定し、監視部３０４は何もしない（Ｓ１３）。
【００６５】
店舗１００と無線ルータ１０１との組み合わせが正しい場合には、管理サーバ１０３から無線ルータ１０１へと送信された設定情報も正しいので、無線ルータ１０１は、設定情報に基づいて情報端末１０２と業務サーバ１０４との間の通信を中継する（Ｓ４１６〜Ｓ４１９）。
【００６６】
続いて、図１１を用いて、無線ルータ１０１が正しい店舗に配送されなかった場合の無線ルータ１０１の設定処理の流れについて説明する。ステップＳ２０〜２２及びステップＳ５１１〜Ｓ５１５は、図１０のステップＳ１０〜１２及びステップＳ４１１〜Ｓ４１５と同様であるため詳細な説明を省略する。
【００６７】
ステップＳ５１５において、所在情報を受け取った管理サーバ１０３の監視部３０４は、店舗１００と無線ルータ１０１の組み合わせが正しくないと判定し、店舗データベース３０６と設定データベース３０３を修正する（Ｓ２３）。
【００６８】
次に、監視部３０４は、店舗データベース３０６と設定データベース３０３とを修正すると、通信部３０２とＬＡＮポート３０７とを介して、無線ルータ１０１へと再設定要求を送信する（Ｓ５１６）。
【００６９】
無線ルータ１０１の自動設定制御部２０７は、無線ＷＡＮポート２０２とルータ部２０３を介して管理サーバ１０３から再設定要求を受信すると、ルータ設定制御部２０４とＭＡＣデータベース２１０の内容を消去する。さらに、自動設定制御部２０７は、無線ＷＡＮ制御部２０６を制御して無線ＷＡＮポート２０２と公衆回線網１０５との接続を一旦切断し、無線ＷＡＮポート２０２に公衆回線網１０５経由で管理サーバ１０３の無線ＷＡＮポート３０１へ接続させる。こうして、無線ルータ１０１は、ステップＳ５１１において設定要求を送信する直前と同じ状態になる。
【００７０】
ステップＳ５１７〜Ｓ５２５及びステップＳ２５及びＳ２６は、図４のステップＳ４１１〜４１９及びステップＳ１１及び１２と同様であるため詳細な説明を省略する。ここで、ステップＳ５１８においては、設定情報として管理サーバ１０３から無線ルータ１０１へ、店舗データベース３０６が修正された後の設定情報が送られる。そのため、無線ルータ１０１は、正しい設定情報を受信することになるため、情報端末１０２と業務サーバ１０４との間の通信を中継することができる。
【００７１】
以上説明したように、無線ルータ１０１の誤配送が発生した場合においても、無線ルータ１０１の装置ＩＤと、無線ルータ１０１に接続されるべき情報端末１０２のＭＡＣアドレスを管理している管理サーバ１０３において、無線ルータ１０１の誤配送を検出することができる。管理サーバ１０３は、無線ルータ１０１の誤配送を検出すると、店舗データベース３０６及び設定データベース３０３において管理している情報を修正する。これによって、無線ルータ１０１は、無線ルータ１０１が設置された位置において設定すべき設定情報を取得することができる。そのため、無線ルータ１０１が誤って配送された場合においても、無線ルータ１０１を取り換えることなく情報端末１０２と業務サーバ１０４との間の通信を中継することができる。
【００７２】
（実施の形態３）
図１２を用いて、本発明の実施の形態３にかかる無線ルータ７００の構成例について説明する。実施の形態３においては、無線ルータ７００のＬＡＮポート２０１に不正な機器が接続されたことを検出する仕組みについて説明する。図１２の無線ルータ７００は、図３の無線ルータ１０１に、スピーカ７１１が追加されている。無線ルータ７００を構成するその他の要素は、図３の無線ルータ１０１と同様であるため詳細な説明を省略する。
【００７３】
また、管理サーバ１０３の監視部３０４は、図５の情報データベース３０５のレコード１−３のＭＡＣアドレスの項の値ＭＡＣ４を、図６の店舗データベース３０６のＭＡＣアドレスの項から探し出すことが出来なかった場合、無線ルータ７００のＬＡＮポート２０１に不正な機器を接続したと判断する。
【００７４】
こうして、管理サーバ１０３の監視部３０４が、無線ルータ７００に不正な機器の接続を受けたと判断した場合には、管理者用ディスプレイ３０８にその旨を表示して、管理者に通知する。併せて、監視部３０４は、通信部３０２とＬＡＮポート３０７とを介して、無線ルータ７００に警報要求を通知する。無線ＷＡＮポート２０２とルータ部２０３とを介して警報要求を管理サーバ１０３から受け取った無線ＬＡＮルータ７００の自動設定制御部２０７は、スピーカ７１１を制御して警報を発する。
【００７５】
以上説明したように、管理サーバ１０３及び無線ルータ７００を用いることによって、無線ルータ７００を設置した店舗における配線ミスを防止するとともに、無線ルータ７００の不正使用を防止することができる。
【００７６】
上述の実施の形態では、本発明をハードウェアの構成として説明したが、本発明は、これに限定されるものではない。本発明は、無線ルータ１０１及び管理サーバ１０３において実行される処理を、ＣＰＵ（Central Processing Unit）にコンピュータプログラムを実行させることにより実現することも可能である。）
【００７７】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７８】
なお、本発明は上記実施の形態に限られたものではなく、趣旨を逸脱しない範囲で適宜変更することが可能である。
【００７９】
上記の実施形態の一部又は全部は、以下の付記のようにも記載されうるが、以下には限られない。
【００８０】
（付記１）予め定められた位置に設置されている情報端末と接続した際に、前記情報端末の識別子を取得する情報取得部と、ルータ装置と前記ルータ装置に接続されるべき情報端末との組み合わせを管理するサーバ装置へ、自装置の識別子と、前記情報取得部において取得された前記情報端末の識別子とを送信する通信部と、自装置及び前記情報端末の識別子を用いて自装置が正しい位置に設置されていないと判定したサーバ装置から送信された、自装置において設定すべき設定情報を設定する情報設定部と、を備えるルータ装置。
（付記２）前記通信部は、ＡＲＰ（Address Resolution Protocol）を用いて、前記情報端末の識別子として前記情報端末のＭＡＣアドレスを取得する、付記１に記載のルータ装置。
（付記３）自装置に接続している前記情報端末のＭＡＣアドレスを管理するＭＡＣアドレス管理部と、前記通信部において取得された情報端末のＭＡＣアドレスが前記ＭＡＣアドレス管理部において管理されていない場合、前記自装置の識別子と、前記ＭＡＣアドレス管理部において管理されていないＭＡＣアドレスを含む所在情報を前記通信部へ出力する管理部と、をさらに備える付記２に記載のルータ装置。
（付記４）前記通信部は、電源投入後に自装置の識別子を前記サーバ装置へ送信することによって、前記サーバ装置から前記自装置の識別子に関連づけられた第１の設定情報を取得し、前記所在情報を前記サーバ装置へ送信した後に、前記第１の設定情報とは異なる第２の設定情報を取得した場合、前記第２の設定情報を自装置に設定する、付記３に記載のルータ装置。
（付記５）予め定められた位置に設置されている情報端末と、前記情報端末が設置されている位置に設置される予定であるルータ装置との組み合わせを管理する組み合わせ管理部と、前記ルータ装置の設定情報を管理する設定情報管理部と、前記ルータ装置から送信された前記ルータ装置の識別子と、前記ルータ装置と接続している情報端末の識別子とを用いて、前記ルータ装置が、設置される予定である位置に正常に設置されているか否かを判定する判定部と、前記ルータ装置が設置される予定である位置と異なる位置に設置された場合、前記組み合わせ管理部及び前記設定情報管理部において管理されている情報を修正する監視部と、前記監視部が修正することによって前記ルータ装置に新たに関連付けられた設定情報を前記ルータ装置へ送信する通信部と、を備えるサーバ装置。
（付記６）前記判定部は、前記ルータ装置から送信された前記ルータ装置の識別子と、前記ルータ装置と接続している情報端末の識別子とが、前記組み合わせ管理部において管理されている組み合わせと異なる場合に、前記ルータ装置が誤った位置に設置されたと判定する、付記５に記載のサーバ装置。
（付記７）第１の情報端末が設置されている位置に設置される予定である第１のルータ装置が、第２の情報端末が設置されている位置に設置された場合、前記監視部は、前記第１のルータ装置と前記第２の情報端末とを組み合わせ、前記第２の情報端末が設置されている位置に設置される予定であった第２のルータ装置と前記第１の情報端末とを組み合わせるように前記組み合わせ管理部を修正し、前記第１のルータ装置と関連づけられている第１の設定情報を前記第２のルータ装置と関連づけ、前記第２のルータ装置と関連づけられている第２の設定情報を前記第１のルータ装置と関連づけるように前記設定情報管理部を修正する、付記５又は６に記載のサーバ装置。
（付記８）前記組み合わせ管理部は、前記ルータ装置の識別子と、前記情報端末のＭＡＣアドレスとを組み合わせて管理する、付記５乃至７のいずれか１項に記載のサーバ装置。
（付記９）予め定められた位置に設置されている情報端末と接続した際に、前記情報端末の識別子を取得し、ルータ装置と前記ルータ装置に接続されるべき情報端末との組み合わせを管理するサーバ装置へ、自装置の識別子と、取得された前記情報端末の識別子とを送信し、自装置及び前記情報端末の識別子を用いて自装置が正しい位置に設置されていないと判定したサーバ装置から送信された、自装置において設定すべき設定情報を設定する、ルータ装置における設定方法。
（付記１０）予め定められた位置に設置されている情報端末と、前記情報端末が設置されている位置に設置される予定であるルータ装置との組み合わせを管理する組み合わせ管理部と、前記ルータ装置の設定情報を管理する設定情報管理部とを有する管理サーバにおける設定情報送信方法であって、前記ルータ装置から送信された前記ルータ装置の識別子と、前記ルータ装置と接続している情報端末の識別子とを用いて、前記ルータ装置が、設置される予定である位置に正常に設置されているか否かを判定し、前記ルータ装置が設置される予定である位置と異なる位置に設置された場合、前記組み合わせ管理部及び前記設定情報管理部において管理されている情報を修正し、前記管理されている情報を修正することによって前記ルータ装置に新たに関連付けられた設定情報を前記ルータ装置へ送信する、設定情報送信方法。
（付記１１）予め定められた位置に設置されている情報端末と接続した際に、前記情報端末の識別子を取得し、ルータ装置と前記ルータ装置に接続されるべき情報端末との組み合わせを管理するサーバ装置へ、自装置の識別子と、取得された前記情報端末の識別子とを送信し、自装置及び前記情報端末の識別子を用いて自装置が正しい位置に設置されていないと判定したサーバ装置から送信された、自装置において設定すべき設定情報を設定することをコンピュータに実行させるプログラム。
（付記１２）予め定められた位置に設置されている情報端末と、前記情報端末が設置されている位置に設置される予定であるルータ装置との組み合わせを管理する組み合わせ管理部と、前記ルータ装置の設定情報を管理する設定情報管理部とを有するコンピュータに実行させるプログラムであって、前記ルータ装置から送信された前記ルータ装置の識別子と、前記ルータ装置と接続している情報端末の識別子とを用いて、前記ルータ装置が、設置される予定である位置に正常に設置されているか否かを判定し、前記ルータ装置が設置される予定である位置と異なる位置に設置された場合、前記組み合わせ管理部及び前記設定情報管理部において管理されている情報を修正し、前記管理されている情報を修正することによって前記ルータ装置に新たに関連付けられた設定情報を前記ルータ装置へ送信することをコンピュータに実行させるプログラム。
【符号の説明】
【００８１】
１０  ルータ
１１  情報取得部
１２  通信部
１３  情報設定部
２０  情報端末
３０  管理サーバ
１００  店舗
１０１  無線ルータ
１０２  情報端末
１０３  管理サーバ
１０４  業務サーバ
１０５  公衆回線網
１０６  イントラネット
２０１  ＬＡＮポート
２０２  無線ＷＡＮポート
２０３  ルータ部
２０４  ルータ設定記憶部
２０５  ＡＲＰテーブル
２０６  無線ＷＡＮ制御部
２０７  自動設定制御部
２０８  装置ＩＤ記憶部
２０９  ＬＡＮ監視部
２１０  ＭＡＣデータベース
３０１  無線ＷＡＮポート
３０２  通信部
３０３  設定データベース
３０４  監視部
３０５  情報データベース
３０６  店舗データベース
３０７  ＬＡＮポート
３０８  管理者用ディスプレイ
【図１】
0006045040.tif 000002
【図２】
0006045040.tif 000003
【図３】
0006045040.tif 000004
【図４】
0006045040.tif 000005
【図５】
0006045040.tif 000006
【図６】
0006045040.tif 000007
【図７】
0006045040.tif 000008
【図８】
0006045040.tif 000009
【図９】
0006045040.tif 000010
【図１０】
0006045040.tif 000011
【図１１】
0006045040.tif 000012
【図１２】
0006045040.tif 000013